(57)【要約】【課題】無線ＬＡＮのアクセスポイント装置によって、そのアクセスポイント装置の通信エリア内にあるサーバ装置とクライアント端末とを相互に通信させる。【解決手段】通信システム９は、サーバ装置２と、クライアント端末３と、サーバ装置２およびクライアント端末３を接続する無線ＬＡＮのアクセスポイント装置１とを具備する。クライアント端末３は、アクセスポイント装置１との接続に用いられる通信情報を予め記憶しており、この通信情報を用いてアクセスポイント装置１に接続する。サーバ装置２は、アクセスポイント装置１との接続に用いられる通信情報を記憶しており、この通信情報を用いてアクセスポイント装置１に接続する。アクセスポイント装置１は、自装置の通信エリア内にあるサーバ装置２とクライアント端末３との相互の通信を中継する。【選択図】図１
2013201705.tif 000002
【特許請求の範囲】
【請求項１】
サーバ装置と、
クライアント端末と、
前記サーバ装置および前記クライアント端末を接続する無線ＬＡＮ（Local Area Network）のアクセスポイント装置と
を具備し、
前記クライアント端末は、
前記アクセスポイント装置との接続に用いられる通信情報を記憶する第１記憶部と
前記第１記憶部から前記通信情報を読み出して、当該通信情報を用いて前記アクセスポイント装置に接続する第１接続部と
を有し、
前記サーバ装置は、
前記アクセスポイント装置との接続に用いられる通信情報を記憶する第２記憶部と
前記第２記憶部から前記通信情報を読み出して、当該通信情報を用いて前記アクセスポイント装置に接続する第２接続部と
を有し、
前記アクセスポイント装置は、
自装置の通信エリア内にある前記サーバ装置と前記クライアント端末との相互の通信を中継する中継部を有することを特徴とする通信システム。
【請求項２】
前記クライアント端末は、
接続が確立したアクセスポイント装置に対し当該アクセスポイント装置の通信エリア内にあるサーバ装置の各識別情報を送信するように周期的に要求し、当該要求に応じて送信された各識別情報を前記アクセスポイント装置から受信する要求部と、
前記要求部が受信した各識別情報をユーザに報知する報知部と、
ユーザからの操作を受け付ける第１操作部と、
前記第１操作部が受け付けた前記操作に応じて、前記要求部が受信した各識別情報のうち１つの識別情報を選択し、当該識別情報により識別されるサーバ装置に向けて所定のメッセージを送信する第１送信部と
を有し、
前記サーバ装置の第２記憶部は、自装置の識別情報を記憶し、
前記サーバ装置の第２接続部は、接続が確立した前記アクセスポイント装置が当該アクセスポイント装置の通信エリア内にあるサーバ装置に対してそれぞれの識別情報を送信するように要求したときに、前記第２記憶部から自装置の識別情報を読み出して当該アクセスポイント装置へ送信し、
前記サーバ装置は、前記クライアント端末から送信されるメッセージを受信する受信部を有する
ことを特徴とする請求項１に記載の通信システム。
【請求項３】
前記サーバ装置の第２記憶部は、複数の前記クライアント端末のそれぞれについて決定された情報であるキーを、当該クライアント端末ごとに対応付けて記憶し、
前記サーバ装置は、
ユーザからの操作を受け付ける第２操作部と、
前記第２操作部が受け付けた前記操作に基づいたキーと一致するキーが前記第２記憶部に記憶されている場合に、当該キーに対応する前記クライアント端末に向けて所定のメッセージを送信する第２送信部と
を有することを特徴とする請求項２に記載の通信システム。
【請求項４】
前記サーバ装置の第２記憶部は、前記クライアント端末が前記アクセスポイント装置の通信エリア内に入った後に当該クライアント端末について決定された前記キーを記憶し、前記クライアント端末が前記通信エリア内から出た場合に、当該キーを削除するかまたは無効にし、
前記サーバ装置の第２送信部は、前記操作に基づいたキーと一致するキーが前記第２記憶部に記憶されていない場合または無効にされている場合には、前記メッセージを送信しない
ことを特徴とする請求項３に記載の通信システム。
【請求項５】
サーバ装置と、
クライアント端末と、
前記サーバ装置および前記クライアント端末を接続する無線ＬＡＮ（Local Area Network）のアクセスポイント装置と
を具備する通信システムにおける通信方法であって、
前記クライアント端末が、前記アクセスポイント装置との接続に用いられる通信情報を記憶する第１記憶部から前記通信情報を読み出して、当該通信情報を用いて前記アクセスポイント装置に接続する第１接続ステップと、
前記サーバ装置が、前記アクセスポイント装置との接続に用いられる通信情報を記憶する第２記憶部から前記通信情報を読み出して、当該通信情報を用いて前記アクセスポイント装置に接続する第２接続ステップと、
前記アクセスポイント装置が、自装置の通信エリア内にある前記サーバ装置と前記クライアント端末との相互の通信を中継する中継ステップと
を備えることを特徴とする通信方法。
【発明の詳細な説明】
【技術分野】
【０００１】
本発明は、無線ＬＡＮ（Local Area Network）におけるデータ通信に関するものである。
【背景技術】
【０００２】
近年、赤外線通信や近距離無線通信を利用して移動体端末に情報を提供するサービスが行われている。このサービスにおいて、利用者は、例えば街頭などに設置されている機器に自身の所有する移動体端末を近づけて近距離無線通信の機能によりデータのやり取りをする。特許文献１では、近距離無線通信などを用いることによってデータの転送先であるターゲット装置の存在を検出することが記載されている（段落３５）。
【先行技術文献】
【特許文献】
【０００３】
【特許文献１】特開２００９−５４３４９５号公報
【発明の概要】
【発明が解決しようとする課題】
【０００４】
しかしながら、移動体端末の中には赤外線通信や近距離無線通信の機能を有していないものも少なくない。例えばスマートフォンなどと呼ばれる移動体端末では、無線ＬＡＮを用いてネットワークに接続するための機能を搭載している製品は広く利用されているが、例えばＩＳＯ／ＩＥＣ１８０９２に準拠した近距離無線通信の機能を搭載している製品は比較的少なく、数が限られている。このような移動体端末では、特許文献１に記載された技術を適用することができない。また、移動体端末とデータ通信が可能な機器が複数存在する場合、特許文献１に記載された技術では、その複数の機器からターゲット装置を選択することが困難となるという問題がある。
【０００５】
本発明は、無線ＬＡＮのアクセスポイント装置によって、そのアクセスポイント装置の通信エリア内にあるサーバ装置とクライアント端末とを相互に通信させることを目的とする。
【課題を解決するための手段】
【０００６】
上述した課題を解決するため、本発明に係る通信システムは、サーバ装置と、クライアント端末と、前記サーバ装置および前記クライアント端末を接続する無線ＬＡＮのアクセスポイント装置とを具備し、前記クライアント端末は、前記アクセスポイント装置との接続に用いられる通信情報を記憶する第１記憶部と前記第１記憶部から前記通信情報を読み出して、当該通信情報を用いて前記アクセスポイント装置に接続する第１接続部とを有し、前記サーバ装置は、前記アクセスポイント装置との接続に用いられる通信情報を記憶する第２記憶部と前記第２記憶部から前記通信情報を読み出して、当該通信情報を用いて前記アクセスポイント装置に接続する第２接続部とを有し、前記アクセスポイント装置は、自装置の通信エリア内にある前記サーバ装置と前記クライアント端末との相互の通信を中継する中継部を有することを特徴とする。
【０００７】
上述の態様において、前記クライアント端末は、接続が確立したアクセスポイント装置に対し当該アクセスポイント装置の通信エリア内にあるサーバ装置の各識別情報を送信するように周期的に要求し、当該要求に応じて送信された各識別情報を前記アクセスポイント装置から受信する要求部と、前記要求部が受信した各識別情報をユーザに報知する報知部と、ユーザからの操作を受け付ける第１操作部と、前記第１操作部が受け付けた前記操作に応じて、前記要求部が受信した各識別情報のうち１つの識別情報を選択し、当該識別情報により識別されるサーバ装置に向けて所定のメッセージを送信する第１送信部とを有し、前記サーバ装置の第２記憶部は、自装置の識別情報を記憶し、前記サーバ装置の第２接続部は、接続が確立した前記アクセスポイント装置が当該アクセスポイント装置の通信エリア内にあるサーバ装置に対してそれぞれの識別情報を送信するように要求したときに、前記第２記憶部から自装置の識別情報を読み出して当該アクセスポイント装置へ送信し、前記サーバ装置は、前記クライアント端末から送信されるメッセージを受信する受信部を有するとよい。
【０００８】
また、上述の態様において、前記サーバ装置の第２記憶部は、複数の前記クライアント端末のそれぞれについて決定された情報であるキーを、当該クライアント端末ごとに対応付けて記憶し、前記サーバ装置は、ユーザからの操作を受け付ける第２操作部と、前記第２操作部が受け付けた前記操作に基づいたキーと一致するキーが前記第２記憶部に記憶されている場合に、当該キーに対応する前記クライアント端末に向けて所定のメッセージを送信する第２送信部とを有するようにしてもよい。
【０００９】
また、上述の態様において、前記サーバ装置の第２記憶部は、前記クライアント端末が前記アクセスポイント装置の通信エリア内に入った後に当該クライアント端末について決定された前記キーを記憶し、前記クライアント端末が前記通信エリア内から出た場合に、当該キーを削除するかまたは無効にし、前記サーバ装置の第２送信部は、前記操作に基づいたキーと一致するキーが前記第２記憶部に記憶されていない場合または無効にされている場合には、前記メッセージを送信しないようにしてもよい。
【００１０】
また、本発明に係る通信方法は、サーバ装置と、クライアント端末と、前記サーバ装置および前記クライアント端末を接続する無線ＬＡＮ（Local Area Network）のアクセスポイント装置とを具備する通信システムにおける通信方法であって、前記クライアント端末が、前記アクセスポイント装置との接続に用いられる通信情報を記憶する第１記憶部から前記通信情報を読み出して、当該通信情報を用いて前記アクセスポイント装置に接続する第１接続ステップと、前記サーバ装置が、前記アクセスポイント装置との接続に用いられる通信情報を記憶する第２記憶部から前記通信情報を読み出して、当該通信情報を用いて前記アクセスポイント装置に接続する第２接続ステップと、前記アクセスポイント装置が、自装置の通信エリア内にある前記サーバ装置と前記クライアント端末との相互の通信を中継する中継ステップとを備えることを特徴とする。
【発明の効果】
【００１１】
本発明によれば、無線ＬＡＮのアクセスポイント装置によって、そのアクセスポイント装置の通信エリア内にあるサーバ装置とクライアント端末とを相互に通信させることができる。
【図面の簡単な説明】
【００１２】
【図１】通信システムの全体構成を示す図である。
【図２】実施形態に係るアクセスポイント装置の構成を示す図である。
【図３】アクセスポイント装置の機能的構成を示す図である。
【図４】サーバ装置の構成を示す図である。
【図５】通信情報の一例を示す図である。
【図６】クライアントデータベースの一例を示す図である。
【図７】ログデータベースの一例を示す図である。
【図８】サーバ装置の機能的構成を示す図である。
【図９】クライアント端末の構成を示す図である。
【図１０】通信情報の一例を示す図である。
【図１１】クライアント情報の一例を示す図である。
【図１２】ログデータベースの一例を示す図である。
【図１３】クライアント端末の機能的構成を示す図である。
【図１４】通信システムの動作を説明するシーケンス図である。
【図１５】変形例における通信システムの全体構成を示す図である。
【図１６】外部操作端末の構成を示す図である。
【発明を実施するための形態】
【００１３】
１．実施形態
１−１．通信システムの全体構成
図１は、通信システム９の全体構成を示す図である。通信システム９は、通信網４に接続された無線ＬＡＮのアクセスポイント装置１と、このアクセスポイント装置１を介して通信網４に接続する複数のサーバ装置２ａ、２ｂ、２ｃ（以下、特に区別の必要がない場合は、これらを総称して「サーバ装置２」と記す）と、このアクセスポイント装置１を介して通信網４に接続する複数のクライアント端末３ａ、３ｂ、３ｃ（以下、特に区別の必要がない場合は、これらを総称して「クライアント端末３」と記す）とを有する。
【００１４】
サーバ装置２は、アクセスポイント装置１を介してクライアント端末３からの要求を受け、この要求に応じて特定の機能やデータを提供する装置である。クライアント端末３は、アクセスポイント装置１を介してサーバ装置２に特定の機能やデータを要求し、この要求に対するサーバ装置２からの応答を享受する端末である。ここでは、サーバ装置２およびクライアント端末３は、いずれもいわゆるスマートフォンと呼ばれる携帯電話端末などである。これら携帯電話端末は、アプリケーションプログラム（以下、アプリと記す）のうちサーバとして機能させるためのアプリであるサーバアプリを実行するとサーバ装置２となり、クライアントとして機能させるためのアプリであるクライアントアプリを実行するとクライアント端末３となる。アクセスポイント装置１は、サーバ装置２およびクライアント端末３が自装置の通信エリア内にあるときに、相互の通信を中継する。そして、このサーバ装置２とクライアント端末３との通信は、１台のアクセスポイント装置１によって仲介され、通信網４を介することはない。
【００１５】
通信網４は、サーバ装置２およびクライアント端末３を接続する通信網であり、インターネットなどを含む。以下に示す実施形態において、通信網４はインターネットである。アクセスポイント装置１は、ＩＥＥＥ８０２．１１シリーズ（ＩＥＥＥ８０２．１１，ＩＥＥＥ８０２．１１ａ，ＩＥＥＥ８０２．１１ｂ，ＩＥＥＥ８０２．１１ｎなど）の規格に準拠した無線ＬＡＮのアクセスポイントを提供する装置である。
【００１６】
１−２．アクセスポイント装置の構成
図２は、実施形態に係るアクセスポイント装置１の構成を示す図である。通信部１３は、サーバ装置２およびクライアント端末３と接続して通信を行う回路である。インターフェース１４は、通信網４と通信を行うためのインターフェースである。
【００１７】
制御部１１は、ＣＰＵ（Central Processing Unit）、ＲＯＭ（Read Only Memory）、ＲＡＭ（Random Access Memory）を備える。ＣＰＵは、ＲＯＭや記憶部１２に記憶されているプログラムをＲＡＭに読み出し、このプログラムを実行することでアクセスポイント装置１の各部を制御する。記憶部１２はソリッドステートドライブなどの記憶手段である。記憶部１２には、上述したプログラムのほか、アクセスポイント装置１の通信エリア内にあるサーバ装置２とクライアント端末３との相互の通信を中継するために必要な情報を記憶する。
【００１８】
１−３．アクセスポイント装置の機能的構成
図３は、アクセスポイント装置１の機能的構成を示す図である。アクセスポイント装置１の制御部１１は、接続部１１１、中継部１１２、および通信網アクセス部１１３として機能する。接続部１１１は、通信部１３を介してサーバ装置２やクライアント端末３から接続の要求を受け取り、これらの各機器との接続を確立する。また、記憶部１２は、通信網４上の機器のＩＰ（Internet Protocol）アドレスや、サブネットマスク、割り当てが許可されているＩＰアドレスの範囲など、通信網４に接続するために必要な情報を記憶している。接続部１１１は、これらの情報に基づいて、接続を確立したサーバ装置２やクライアント端末３に対してＩＰアドレスを割り当てる、いわゆるＤＨＣＰ（Dynamic Host Configuration Protocol）機能を実現する。
【００１９】
接続部１１１は、サーバ装置２またはクライアント端末３からの要求が、アクセスポイント装置１の通信エリア内にある他の装置（サーバ装置２またはクライアント端末３）に対してデータを要求するものであるか否かを、例えば要求先を表す機器のＩＰアドレスを参照することによって判定する。中継部１１２は、上記の要求が通信エリア内にある他の装置に対してデータを要求するものであると接続部１１１により判定された場合に、この要求に応じて要求元の機器と要求先の機器との相互の通信を中継する。
【００２０】
通信網アクセス部１１３は、サーバ装置２またはクライアント端末３からの要求が、アクセスポイント装置１のインターフェース１４を介して接続される通信網４上の他の装置に対してデータを要求するものであると接続部１１１により判定された場合に、この要求に応じて通信網４へのアクセスを試みる。
【００２１】
１−４．サーバ装置の構成
図４は、サーバ装置２の構成を示す図である。通信部２３は、ＩＥＥＥ８０２．１１シリーズなどの規格に準拠して規定された周波数帯域を利用し、アクセスポイント装置１と接続する回路である。
操作部２４は、ユーザの指などが触れた位置を特定するタッチセンサ２４１と、サーバ装置２の姿勢を検出する加速度センサ２４２とを備えており、これらを用いたユーザによる操作を受け付けてその操作内容に応じた信号を制御部２１に供給する。
【００２２】
表示部２５は、液晶などを使用したディスプレイ装置であり、制御部２１から供給される信号に応じて画像を表示する。なお、上述した操作部２４のタッチセンサ２４１は、表示部２５における画像を表示する領域（表示領域）に重ねて配置されている。そのため、タッチセンサ２４１によって特定された位置に応じて表示領域における画像が変化するため、操作部２４は、ユーザに対してわかりやすい操作感を与える。
【００２３】
収音部２６は、周囲の音に応じた音信号を発生させるマイク２６１を有し、発生させた音信号をデジタル信号に変換して制御部２１に供給する。
放音部２７は、音を発生させるスピーカ２７１を有し、制御部２１の制御の下、指示された音信号をアナログ信号に変換してその信号に応じた音をスピーカ２７１により発生させる。
【００２４】
制御部２１は、ＣＰＵ、ＲＯＭ、ＲＡＭを備える。ＣＰＵは、ＲＯＭや記憶部２２に記憶されているプログラムをＲＡＭに読み出して実行することでサーバ装置２の各部を制御する。記憶部２２は、ソリッドステートドライブなどの記憶手段である。記憶部２２は、上述したプログラムのほか、通信情報２２１、クライアントデータベース（以下、図において「データベース」を「ＤＢ」と表記する）２２２、およびログデータベース２２３を記憶する。
【００２５】
１−５．サーバ装置における通信情報の構成
図５は、通信情報２２１の一例を示す図である。通信情報２２１は、サーバ装置２がアクセスポイント装置１との接続に用いるＥＳＳ−ＩＤ（Extended Service Set Identifier）と、サーバ装置２がアクセスポイント装置１と接続してネットワークを利用するための暗証鍵であるＷＥＰ（Wired Equivalent Privacy）キーと、サーバ装置２のＩＰアドレス（Internet Protocol Address）であるサーバＩＰアドレスとが記述されたデータ群である。ＥＳＳ−ＩＤとは、複数のネットワークが共存し得る無線ＬＡＮ環境下において、それぞれのネットワークを識別するための識別情報である。サーバＩＰアドレスは、アクセスポイント装置１のＤＨＣＰ機能により、そのサーバ装置２に割り当てられたＩＰアドレスである。
【００２６】
１−６．サーバ装置におけるクライアントデータベースの構成
図６は、クライアントデータベース２２２の一例を示す図である。クライアントデータベース２２２は、複数のクライアント端末３からサーバ装置２にそれぞれ送信される各情報を登録して構築されるデータベースである。図６に示すように、クライアントデータベース２２２は、アプリ名リスト２２２０と、クライアント情報２２２１とを有する。
【００２７】
アプリ名リスト２２２０は、サーバ装置２が接続するアクセスポイント装置１の通信エリア内にあって、サーバ装置２と通信が可能なクライアント端末３のそれぞれで実行されているクライアントアプリの名称（アプリ名）を列挙したリストである。クライアントアプリのアプリ名は、そのクライアントアプリを実行するクライアント端末３のユーザが任意に設定する名称である。クライアント端末３の情報は、このクライアントアプリのアプリ名によって識別される。なお、異なるクライアント端末３のユーザが同一のアプリ名を設定していた場合に、これらを区別するため、それぞれ設定された各アプリ名に異なる文字列や数字などを付加する機能をサーバ装置２が有していてもよい。
【００２８】
クライアント情報２２２１は、上記の各クライアント端末３に関する情報を記述したデータ群である。アプリ名リスト２２２０に記述された複数のアプリ名のそれぞれに、１つずつクライアント情報２２２１が対応付けられている。各クライアント情報２２２１には、それぞれ対応付けられたアプリ名が項目として記述されている。
【００２９】
取得キーは、各クライアント端末３のユーザがそれぞれ任意に決定したキーであり、フリックなどの入力操作を実現するサーバ装置２において、入力が可能なものである。
【００３０】
クライアントＩＰアドレスは、アクセスポイント装置１のＤＨＣＰ機能により、そのアプリ名のクライアントアプリが実行されているクライアント端末３に割り当てられたＩＰアドレスである。更新時刻は、上記のアプリ名のクライアントアプリが実行されているクライアント端末３が、サーバ装置２との接続状態を更新した直近の時刻を示す時刻情報である。
【００３１】
１−７．サーバ装置におけるログデータベースの構成
図７は、ログデータベース２２３の一例を示す図である。図７に示すように、ログデータベース２２３は、送受信日時リスト２２３０と、ログデータ２２３１とを有する。
【００３２】
送受信日時リスト２２３０は、サーバ装置２がクライアント端末３からメッセージを受信した日時や、サーバ装置２がクライアント端末３へメッセージを送信した日時などを時系列順に並べたリストである。各送受信日時には、それぞれ１つずつログデータ２２３１が対応付けられている。
【００３３】
ログデータ２２３１は、対応する送受信日時において送受信（送信または受信）が行われたメッセージに関する情報を記述したデータ群である。送受信の項目には送信を表す「ＳＥＮＤ」または受信を表す「ＲＥＣＥＩＶＥ」のいずれかが記述され、これによりサーバ装置２にとって、そのメッセージが送信されたものなのか、受信されたものなのかの区別が表されている。正常性の項目には、その送受信が正常に行われたか否かが記述される。正常性の判定には、例えば、メッセージに付帯させるパリティビットなどが用いられる。送受信者の項目には、その送受信に関わったクライアント端末３のユーザの識別情報が記述される。メッセージの項目には、送受信されたメッセージが記述される。送受信ファイルの項目には、メッセージに添付して送受信されたファイルの識別情報が記述される。なお、このファイル自体は、記憶部２２に記憶されており、この識別情報によって識別されて読み出し可能となる。
【００３４】
配信スケジュールの項目には、上述したメッセージに対して応答するメッセージ（以下、応答メッセージという）がサーバ装置２またはクライアント端末３から配信される予定の時刻を示す時刻情報が記述されている。配信期間には、上述した応答メッセージの配信が試みられる期間（単位は例えば「分」）が記述されている。
【００３５】
１−８．サーバ装置の機能的構成
図８は、サーバ装置２の機能的構成を示す図である。サーバ装置２の制御部２１は、接続部２１１、登録部２１２、管理部２１３、受信部２１４、判定部２１５、蓄積部２１６、認証部２１７、送信部２１８、および表示制御部２１９として機能する。
【００３６】
接続部２１１は、記憶部２２に記憶された通信情報２２１を読み出して、この通信情報２２１に記述されたＥＳＳ−ＩＤおよびＷＥＰキーを用いてアクセスポイント装置１に接続する。なお、一般に無線ＬＡＮのアクセスポイントは、ＥＳＳ−ＩＤなど通信に必要なパラメータを含んだビーコンを発信しており、通信端末がこれを受信してアクセスポイントへの接続に用いるが、サーバ装置２では、予め通信情報２２１にＥＳＳ−ＩＤおよびＷＥＰキーが記憶されているため、アクセスポイント装置１はビーコンを発信しなくてもよい。
【００３７】
また、接続部２１１は、アクセスポイント装置１のＤＨＣＰ機能により割り当てられたサーバＩＰアドレスを通信情報２２１に記述する。また、接続部２１１は、アクセスポイント装置１がそのアクセスポイント装置１の通信エリア内にある接続可能な全てのサーバ装置２に対して応答（送信）するように要求する信号をブロードキャストしたときに、通信情報２２１に記述したサーバＩＰアドレスを読み出し、これを含んだ応答信号を生成してアクセスポイント装置１に対して応答（送信）する。
【００３８】
登録部２１２は、アクセスポイント装置１の通信エリア内に存在するクライアント端末３から後述するクライアント情報３２２が送られてきたときに、これを記憶部２２内のクライアントデータベース２２２に登録する。すなわち、登録部２１２は、クライアント情報３２２の内容を項目ごとに振り分けて、アプリ名リスト２２２０およびクライアント情報２２２１としてそれぞれ記憶する。
【００３９】
認証部２１７は、ユーザによるフリックなどの入力操作を受け付けた操作部２４からその入力操作に応じた信号を受け取る。そして認証部２１７は、受け取ったその入力信号に基づく取得キーと一致する取得キーが記述されたクライアント情報２２２１をクライアントデータベース２２２の中から探す照合処理を行う。その結果、上記の一致する取得キーが見つかった場合に認証部２１７は、入力操作に基づく取得キーを見つかった取得キーに対応するクライアント端末３の取得キーとして認証し、そのクライアント情報２２２１に記述されたアプリ名を管理部２１３に引き渡す。
【００４０】
管理部２１３は、アクセスポイント装置１との接続状態を監視し、監視した結果を例えば判定部２１５や送信部２１８に引き渡す。また、管理部２１３は、上述したアプリ名を認証部２１７から引き渡されると、そのアプリ名のアプリを実行しているクライアント端末３を特定し、送信部２１８にそのクライアント端末３の識別情報を引き渡す。
【００４１】
受信部２１４は、クライアント端末３から送られてくるメッセージを受信する。判定部２１５は、受信部２１４がメッセージを受信すると、そのメッセージが正常な通信により受信されたものか否かを判定する。このとき、判定部２１５は、管理部２１３から引き渡された監視結果に基づいてこの判定を行ってもよいし、メッセージそのものから例えば、パリティビットの演算を行うことでこの判定を行ってもよい。
【００４２】
蓄積部２１６は、判定部２１５が上記の判定の結果、メッセージが正常な通信により受信されたものと判定した場合に、そのメッセージと、そのメッセージに付随する情報を記憶部２２のログデータベース２２３に蓄積する。付随する情報とは、送受信日時や送受信の別、正常性など、上述したログデータ２２３１に含まれる情報である。
【００４３】
送信部２１８は、管理部２１３から引き渡されたクライアント端末３の識別情報を用いて、記憶部２２に記憶されているそのクライアント端末３に対応するメッセージを特定し、これをそのクライアント端末３に向けて送信する。
【００４４】
表示制御部２１９は、受信部２１４により受信され、その通信の正常性が判定部２１５により判定されて、蓄積部２１６によりログデータベース２２３に蓄積されたメッセージを、そのログデータベース２２３から読み出す。そして表示制御部２１９は、読み出したそのメッセージの内容に応じた画像を表示部２５に表示させる。これにより、サーバ装置２のユーザは、クライアント端末３から送られてくるメッセージを閲覧する。
【００４５】
１−９．クライアント端末の構成
図９は、クライアント端末３の構成を示す図である。通信部３３は、ＩＥＥＥ８０２．１１シリーズなどの規格に準拠して規定された周波数帯域を利用し、アクセスポイント装置１と接続する回路である。
操作部３４は、ユーザの指などが触れた位置を特定するタッチセンサ３４１と、クライアント端末３の姿勢を検出する加速度センサ３４２とを備えており、これらを用いたユーザによる操作を受け付けてその操作内容に応じた信号を制御部３１に供給する。
【００４６】
表示部３５は、液晶などを使用したディスプレイ装置であり、制御部３１から供給される信号に応じて画像を表示する。この表示部３５は、クライアント端末３がサーバ装置２からそのサーバ装置２を識別するサーバＩＰアドレスを含むサーバ情報を受け取った場合に、そのサーバＩＰアドレスを上記の画像を表示することによってユーザに報知する。すなわち、表示部３５は、本願発明における報知部として機能する。なお、上述した操作部３４のタッチセンサ３４１は、表示部３５の表示領域に重ねて配置されている。そのため、タッチセンサ３４１によって特定された位置に応じて表示領域における画像が変化するため、操作部３４は、ユーザに対してわかりやすい操作感を与える。
【００４７】
収音部３６は、周囲の音に応じた音信号を発生させるマイク３６１を有し、発生させた音信号をデジタル信号に変換して制御部３１に供給する。
放音部３７は、音を発生させるスピーカ３７１を有し、制御部３１の制御の下、指示された音信号をアナログ信号に変換してその信号に応じた音をスピーカ３７１により発生させる。
【００４８】
制御部３１は、ＣＰＵ、ＲＯＭ、ＲＡＭを備える。ＣＰＵは、ＲＯＭや記憶部３２に記憶されているプログラムをＲＡＭに読み出して実行することでクライアント端末３の各部を制御する。記憶部３２は、ソリッドステートドライブなどの記憶手段である。記憶部３２は、上述したプログラムのほか、通信情報３２１、クライアント情報３２２、およびログデータベース３２３を記憶する。
【００４９】
１−１０．クライアント端末における通信情報の構成
図１０は、通信情報３２１の一例を示す図である。通信情報３２１は、クライアント端末３がアクセスポイント装置１との接続に用いるＥＳＳ−ＩＤと、ＷＥＰキーと、クライアント端末３がアクセスポイント装置１を介して接続可能なサーバ装置２のＩＰアドレスであるサーバＩＰアドレスと、それらサーバＩＰアドレスをアクセスポイント装置１から取得した時刻を示す取得時間とが記述されたデータ群である。各サーバＩＰアドレスは、アクセスポイント装置１のＤＨＣＰ機能により、それぞれのサーバ装置２に割り当てられたＩＰアドレスである。なお、サーバＩＰアドレスはサーバの識別情報であり、これを含む情報であって、サーバ装置２からクライアント端末３へ送られる情報をサーバ情報という。
【００５０】
１−１１．クライアント端末におけるクライアント情報の構成
図１１は、クライアント情報３２２の一例を示す図である。図１１に示すように、クライアント情報３２２は、自装置であるクライアント端末３で実行されているクライアントアプリのアプリ名と、このクライアント端末３のユーザが任意に決定した取得キーと、アクセスポイント装置１のＤＨＣＰ機能により、このクライアント端末３に割り当てられたクライアントＩＰアドレスとを含む。
【００５１】
１−１２．クライアント端末におけるログデータベースの構成
図１２は、ログデータベース３２３の一例を示す図である。図１２に示すように、ログデータベース３２３は、送受信日時リスト３２３０と、ログデータ３２３１とを有する。
【００５２】
送受信日時リスト３２３０は、クライアント端末３がサーバ装置２からメッセージを受信した日時や、クライアント端末３がサーバ装置２へメッセージを送信した日時などを時系列順に並べたリストである。各送受信日時には、それぞれ１つずつログデータ３２３１が対応付けられている。
【００５３】
ログデータ３２３１は、対応する送受信日時において送受信（送信または受信）が行われたメッセージに関する情報を記述したデータ群である。送受信の項目には送信を表す「ＳＥＮＤ」または受信を表す「ＲＥＣＥＩＶＥ」のいずれかが記述され、これによりクライアント端末３にとって、そのメッセージが送信されたものなのか、受信されたものなのかの区別が表されている。正常性の項目には、その送受信が正常に行われたか否かが記述される。正常性の判定には、例えば、メッセージに付帯させるパリティビットなどが用いられる。接続先ＩＰアドレスには、その送受信の相手であるサーバ装置２のサーバＩＰアドレスが記述される。メッセージの項目には、送受信されたメッセージが記述される。送受信ファイルの項目には、メッセージに添付して送受信されたファイルの識別情報が記述される。なお、このファイル自体は、記憶部３２に記憶されており、この識別情報によって識別されて読み出し可能となる。
【００５４】
配信スケジュールの項目には、上述したメッセージに対して応答するメッセージ（以下、応答メッセージという）がクライアント端末３またはサーバ装置２から配信される予定の時刻を示す時刻情報が記述されている。配信期間には、上述した応答メッセージの配信が試みられる期間（単位は例えば「分」）が記述されている。
【００５５】
１−１３．クライアント端末の機能的構成
図１３は、クライアント端末３の機能的構成を示す図である。クライアント端末３の制御部３１は、生成部３１０、接続部３１１、要求部３１２、管理部３１３、受信部３１４、判定部３１５、蓄積部３１６、検知部３１７、送信部３１８、および表示制御部３１９として機能する。
【００５６】
接続部３１１は、記憶部３２に記憶された通信情報３２１を読み出して、この通信情報３２１に記述されたＥＳＳ−ＩＤおよびＷＥＰキーを用いてアクセスポイント装置１に接続する。そして、接続部３１１は、アクセスポイント装置１との接続が確立するとその旨を要求部３１２に伝える。
【００５７】
要求部３１２は、接続が確立したアクセスポイント装置１に対し、そのアクセスポイント装置１の通信エリア内にある接続可能な全てのサーバ装置２のサーバＩＰアドレスを検索してクライアント端末３へ送信するように要求する。この要求に応じてアクセスポイント装置１がその通信エリア内にある接続可能な全てのサーバ装置２に対してブロードキャストを行い、各サーバＩＰアドレスを検索してクライアント端末３に送信すると、要求部３１２は、これらのサーバＩＰアドレスを受信して通信情報３２１にそれぞれ記述するとともに、その取得時間を記述する。要求部３１２は、上記の要求を周期的に行う。なお、この要求は一定周期ごとに行われる必要はなく、例えば、時間帯に応じて変動する期間おきに行われてもよい。
【００５８】
検知部３１７は、ユーザによる操作部３４の操作を検知して、検知した内容を管理部３１３に引き渡す。管理部３１３は、アクセスポイント装置１との接続状態を監視し、検知部３１７の検知した内容に応じた処理を行う。例えば、管理部３１３は、検知部３１７の検知した内容に応じて受信部３１４にメッセージ受信させたり、送信部３１８にメッセージを送信させたりする。また、管理部３１３は、監視した結果を例えば判定部３１５に引き渡す。
【００５９】
図９に示したように操作部３４はタッチセンサ３４１と加速度センサ３４２を備えている。具体的に検知部３１７は、例えば、ユーザの指などがタッチセンサ３４１に対して触れた位置の情報と、加速度センサ３４２が検出するクライアント端末３の姿勢の情報とを組み合わせて、この組み合わせによって表されるジェスチャーを認識する。そして、管理部３１３は、認識したジェスチャーに応じた要求を、アクセスポイント装置１を介してサーバ装置２に向けて伝える。
【００６０】
例えば、クライアント端末３の表示部３５に、アクセスポイント装置１に接続可能なサーバ装置２にそれぞれ対応する複数のボタンが表示されている。このとき、ユーザがその複数のボタンの中から１つを選択して指で触れながら、さらにそのクライアント端末３の表示部３５を重力方向における上に向けて、その筐体を手前に引き寄せるような動作をすると、検知部３１７は、この一連の動作を、指で触れたボタンに対応するサーバ装置２からメッセージを引き出すことを表すジェスチャーと認識する。したがって、管理部３１３は、上記のサーバ装置２に対し、そのサーバ装置２からクライアント端末３に向けたメッセージを送るように要求する。そして、サーバ装置２は、クライアント端末３に向けて上記のメッセージを送り、受信部３１４はそのメッセージを受信する。
【００６１】
一方、ユーザが複数のボタンの中から１つを選択して指で触れながら、さらにそのクライアント端末３の表示部３５を重力方向における上に向けて、その筐体を前方に投げ出すような動作をすると、検知部３１７は、この一連の動作を、指で触れたボタンに対応するサーバ装置２に向けてメッセージを投げ込むことを表すジェスチャーと認識する。したがって、管理部３１３は、上記のサーバ装置２に対し、クライアント端末３からのメッセージを受け取るように要求する。そして、送信部３１８は、サーバ装置２に対してメッセージを送り、サーバ装置２はそのメッセージを受け取る。
【００６２】
受信部３１４は、サーバ装置２から送られてくるメッセージを受信する。判定部３１５は、受信部３１４がメッセージを受信すると、そのメッセージが正常な通信により受信されたものか否かを判定する。このとき、判定部３１５は、管理部３１３から引き渡された監視結果に基づいてこの判定を行ってもよいし、メッセージそのものから例えば、パリティビットの演算を行うことでこの判定を行ってもよい。
【００６３】
蓄積部３１６は、判定部３１５が上記の判定の結果、メッセージが正常な通信により受信されたものと判定した場合に、そのメッセージと、そのメッセージに付随する情報を記憶部３２のログデータベース３２３に蓄積する。付随する情報とは、送受信日時や送受信の別、正常性など、上述したログデータ３２３１に含まれる情報である。
【００６４】
生成部３１０は、ユーザによる操作部３４の操作に応じてメッセージを生成し、生成したメッセージを記憶部３２に記憶する。このメッセージには、送信先となるサーバ装置２がユーザによる操作部３４の操作に応じて指定され、指定されたサーバ装置２のサーバＩＰアドレスが通信情報３２１の中から抽出されて、このメッセージに対応付けて記憶される。
【００６５】
送信部３１８は、生成部３１０が生成したメッセージを記憶部３２の中から探し出し、通信部３３およびアクセスポイント装置１を介して指定されたサーバ装置２に向けて送信する。
【００６６】
表示制御部３１９は、サーバ装置２から受信したメッセージや生成部３１０が生成したメッセージのそれぞれの内容に応じた画像を表示部３５に表示させる。これにより、クライアント端末３のユーザは、サーバ装置２から送られてくるメッセージやクライアント端末３において生成したメッセージを閲覧する。
【００６７】
また、表示制御部３１９は、要求部３１２が受信して通信情報３２１にそれぞれ記述したサーバＩＰアドレスをユーザが選択可能なように列挙した画像を表示部３５に表示させる。すなわち、表示制御部３１９は、上記の画像を表示部３５に表示させることにより、要求部３１２が受信した各サーバＩＰアドレスをクライアント端末３のユーザに報知する。これにより、クライアント端末３のユーザは、アクセスポイント装置１の通信エリア内にある接続可能な全てのサーバ装置２のサーバＩＰアドレスを閲覧し、操作部３４を操作することによって意図するサーバ装置２のサーバＩＰアドレスを選択する。
【００６８】
１−１４．通信システムの動作
図１４は、通信システム９の動作を説明するシーケンス図である。
ユーザにより電源を投入されてアクセスポイント装置１は起動する（ステップＳ１０１）。クライアント端末３はクライアントアプリを起動する（ステップＳ１０２）。サーバ装置２はサーバアプリを起動する（ステップＳ１０３）。クライアント端末３は、アクセスポイント装置１に向けて接続を要求する（ステップＳ１０４）。アクセスポイント装置１は、この要求に応じて接続を確立する（ステップＳ１０５）。サーバ装置２は、アクセスポイント装置１に向けて接続を要求する（ステップＳ１０６）。アクセスポイント装置１は、この要求に応じて接続を確立する（ステップＳ１０７）。
【００６９】
アクセスポイント装置１との接続が確立したクライアント端末３は、予め定められた周期の計測を開始する（ステップＳ１０８）。これは、アクセスポイント装置１に対してクライアント端末３およびサーバ装置２がスマートフォンなどの移動体端末であり、アクセスポイント装置１の通信エリア内に存在するクライアント端末３およびサーバ装置２の数が変化するため、周期的にこれらの機器が通信エリア内に存在するか否かを確認する必要があるからである。
【００７０】
クライアント端末３は、通信エリア内に存在するサーバ装置２を検索するようにアクセスポイント装置１に向けて要求する（ステップＳ１０９）。この要求を受け取ったアクセスポイント装置１は、自身の通信エリア内にある接続可能な全てのサーバ装置２に対して応答するように要求する信号をブロードキャストする（ステップＳ１１０）。上記の各サーバ装置２は、このブロードキャストに対して応答し、サーバ情報をアクセスポイント装置１に向けて送信する（ステップＳ１１１）。アクセスポイント装置１は、ステップＳ１０９においてアクセスポイント装置１に向けて要求をしたクライアント端末３に対し、各サーバ情報を転送する（ステップＳ１１２）。クライアント端末３は、転送されたサーバ情報を記憶部３２に蓄積する（ステップＳ１１３）。
【００７１】
次に、クライアント端末３は、クライアント情報をアクセスポイント装置１に送信する（ステップＳ１１４）。アクセスポイント装置１は、クライアント端末３から送信されたクライアント情報をサーバ装置２に転送する（ステップＳ１１５）。サーバ装置２は、転送されたクライアント情報を記憶部２２に蓄積する（ステップＳ１１６）。
【００７２】
クライアント端末３は、ユーザの操作に応じてメッセージを生成する機能と、この機能によって生成されたメッセージが送信されるサーバ装置２を指定する機能とを有する。クライアント端末３は、生成されたメッセージが送信される宛先（送信先）が、ユーザによって指定されたか否かを判定し（ステップＳ１１７）、メッセージの宛先が指定されたと判定すると（ステップＳ１１７；ＹＥＳ）、アクセスポイント装置１を介してそのメッセージをサーバ装置２へ送信する（ステップＳ１１８）。サーバ装置２は、クライアント端末３からメッセージを受信すると、これを記憶部２２に蓄積する（ステップＳ１１９）。一方、クライアント端末３は、メッセージの宛先が指定されていないと判定すると（ステップＳ１１７；ＮＯ）、処理を次に進める。
【００７３】
サーバ装置２は、取得キーが入力されたか否かを判定し（ステップＳ１２０）、取得キーが入力されたと判定すると（ステップＳ１２０；ＹＥＳ）、入力された取得キーと予め記憶されている取得キーとを照合し（ステップＳ１２１）、照合結果に応じて送信先のクライアント端末３を決定し、アクセスポイント装置１を介してそのクライアント端末３へ所定のメッセージを送信する（ステップＳ１２２）。サーバ装置２からこのメッセージを受信したクライアント端末３は、これを記憶部３２に蓄積する（ステップＳ１２３）。
一方、サーバ装置２は、取得キーが入力されていないと判定すると（ステップＳ１２０；ＮＯ）、処理を次に進める。
【００７４】
クライアント端末３は、計測開始からの時間を読み出して予め定められた周期が到来したか否かを判定し（ステップＳ１２４）、周期が到来していないと判定した場合には（ステップＳ１２４；ＮＯ）、処理をステップＳ１１７に戻す。一方、周期が到来したと判定した場合には（ステップＳ１２４；ＹＥＳ）、クライアント端末３は、ユーザによってクライアントアプリの終了を指示されているか否かを判定する（ステップＳ１２５）。終了を指示されていると判定した場合（ステップＳ１２５；ＹＥＳ）、クライアント端末３はクライアントアプリを終了する。クライアントアプリの終了を指示されていないと判定すると（ステップＳ１２５；ＮＯ）、クライアント端末３は、処理をステップＳ１０８に戻す。
【００７５】
以上、説明したとおり、通信システム９においてアクセスポイント装置１は自装置の通信エリア内にあってクライアント端末３と接続可能な全てのサーバ装置２のサーバ情報をそのクライアント端末３に提供するので、クライアント端末３のユーザは、それらのサーバ装置２の中から意図するサーバ装置２を選択することができる。また、サーバ装置２にとっても、複数のクライアント端末３がアクセスポイント装置１を介して接続した状態で、これら複数のクライアント端末３の中から、サーバ装置２のユーザが意図するクライアント端末３を選択することができる。
【００７６】
そして、サーバ装置２とクライアント端末３との接続状態がキーとして管理されているので、これらの間の通信において、そのキーを二次的に活用することができる。さらに、この通信システム９によれば、サーバ装置２およびクライアント端末３に赤外線通信などのいわゆる近距離通信機能が備わっていなくても、これらの機器に、アクセスポイント装置１を介して相互にデータをやり取りさせることができる。
【００７７】
２．変形例
以上が実施形態の説明であるが、この実施形態の内容は以下のように変形し得る。また、以下の変形例を組み合わせてもよい。
２−１．取得キー
上述した実施形態において、サーバ装置２の記憶部２２にクライアントデータベース２２２を構成するデータとして記憶された取得キーは、予めサーバ装置２に送信され、記憶されていたものであったが、対応するクライアント端末３がアクセスポイント装置１の通信エリア内に入った後にサーバ装置２に送信され記憶部２２に記憶されてもよい。また、この取得キーは、対応するクライアント端末３がアクセスポイント装置１の通信エリア内から出た場合に、制御部２１によって記憶部２２から削除されてもよい。
【００７８】
この構成によれば、クライアント端末３が一度、アクセスポイント装置１の通信エリア内から出ると、新たに取得キーの認証が行われない限りサーバ装置２はそのクライアント端末３に向けてメッセージを送信しなくなる。
【００７９】
例えば、図１４に示したステップＳ１１４において、クライアント端末３はサーバ装置２に向けてクライアント情報３２２を送信する。ステップＳ１１５においてアクセスポイント装置１を介してこのクライアント情報３２２を受信したサーバ装置２は、ステップＳ１１６においてこれを記憶部２２に蓄積する。このとき、クライアント情報３２２に含まれる取得キーは、クライアントデータベース２２２のクライアント情報２２２１に記述される。
【００８０】
そしてステップＳ１１７において、クライアント端末３がサーバ装置２を指定し、生成したメッセージをステップＳ１１８においてこのサーバ装置２に向けて送信した後、アクセスポイント装置１の通信エリア内から出たとする。なお、この生成したメッセージは、例えばサーバ装置２においてクライアント端末３に配布するクーポンを示すデータを要求するものである。商品取引の際にこのデータに基づいたクーポンを表示させることで、クライアント端末３のユーザは対価を得る。
【００８１】
クライアント端末３において生成されたメッセージは、サーバ装置２においてステップＳ１１９の処理により記憶部２２に蓄積される。そして、この後、ステップＳ１２０に示す入力がないうちにステップＳ１２４に示す周期が到来すると、クライアント端末３は処理をステップＳ１０８に戻すが、既にアクセスポイント装置１の通信エリア内にいないためステップＳ１０９におけるエリア内の検索要求はアクセスポイント装置１に届かない。したがって、この後のステップＳ１１０〜Ｓ１１６までが行われず、サーバ装置２はクライアント情報を蓄積しない。
【００８２】
ここで、サーバ装置２は、ログデータベース３２３を構成し、上記のクライアント端末３に対応付けられているログデータ３２３１のうち配信スケジュールと配信期間を読み出し、配信スケジュールから配信期間が経過したときの時刻と現在時刻とを比較する。そして、サーバ装置２は、現在が配信スケジュールに記述された時刻から配信期間が経過した後であるか否かを判断し、すでに上記の配信期間が経過した後であると判断した場合に、このクライアント端末３に対応するクライアント情報２２２１をクライアントデータベース２２２から削除する。これにより、クライアント情報２２２１に含まれる取得キーは記憶部２２から削除される。
【００８３】
したがって、この後に、サーバ装置２において、ステップＳ１２０の入力操作が行われても、その入力操作に基づく取得キーと一致する取得キーはクライアントデータベース２２２の中から見つからないため、新たに上記のクライアント端末３からクライアント情報３２２を受信しない限り、サーバ装置２はこのクライアント端末３へメッセージを送信しない。すなわち、クライアント端末３のユーザは改めてそのクライアント端末３をアクセスポイント装置１の通信エリア内に移動させ、取得キーをサーバ装置２に遅らせない限りそのクライアント端末３は、以前に上記の通信エリア内にいたときに要求したクーポンをサーバ装置２から取得することがない。
【００８４】
なお、上述の場合、サーバ装置２はクライアント端末３に対応するクライアント情報２２２１をクライアントデータベース２２２から削除しなくてもよい。例えば、配信期間が経過した後であると判断した場合に、サーバ装置２は、上記のクライアント端末３に対応するクライアント情報２２２１を無効とする情報をクライアントデータベース２２２に記憶させてもよい。この場合、照合の結果、サーバ装置２の制御部２１がクライアント端末３に対応するメッセージを含んだクライアント情報２２２１をクライアントデータベース２２２から見つけたときに、制御部２１はそのクライアント情報２２２１を無効とする情報が記憶されているか否かを判断すればよい。そして、制御部２１によって実現される送信部２１８は、上記のクライアント情報２２２１を無効とする情報がクライアントデータベース２２２に記憶されていると判断された場合に、クライアント端末３へメッセージを送信することを中止すればよい。
【００８５】
２−２．報知部
サーバ装置２やクライアント端末３は、それぞれ表示部２５、表示部３５を有しており、これらは画像を表示することによりユーザにその画像の内容を報知していたが、報知の手段は表示に限られない。例えば、音声による音声案内や点字ディスプレイなどにより、上記の報知を行ってもよい。
【００８６】
２−３．外部操作端末
上述した実施形態において、サーバ装置２の操作部２４は、ユーザの指示する位置を特定するタッチセンサ２４１と、サーバ装置２の姿勢を検出する加速度センサ２４２とを備えており、これらを用いたユーザによる操作を受け付けてその操作内容に応じた信号を制御部２１に供給していたが、サーバ装置２への操作はこれに限られない。例えば、通信網４上に接続された端末によってこの操作が行われてもよい。
【００８７】
図１５は、この変形例における通信システム９ａの全体構成を示す図である。通信システム９ａは、通信網４に外部操作端末５が接続している点が通信システム９と異なる。図１６は、外部操作端末５の構成を示す図である。外部操作端末５は、例えばパーソナルコンピューターである。
【００８８】
制御部５１は、ＣＰＵ、ＲＯＭ、ＲＡＭを備える。ＣＰＵは、ＲＯＭや記憶部５２に記憶されているプログラムをＲＡＭに読み出して実行することで外部操作端末５の各部を制御する。記憶部５２は、ハードディスクドライブなどの記憶手段であり、上記のプログラムやそのプログラムの実行に必要となるデータを記憶する。
操作部５３は、キーボードやマウスなどを備えており、これらを用いたユーザによる操作を受け付けてその操作内容に応じた信号を制御部５１に供給する。
インターフェース５４は、通信網４と通信を行うためのインターフェースである。
表示部５５は、液晶などを使用したディスプレイ装置であり、制御部５１から供給される信号に応じて画像を表示する。
【００８９】
例えば、外部操作端末５は予め特定のサーバ装置２（ここではサーバ装置２ａとする）に対応付けられている。この外部操作端末５の操作部５３がユーザによって操作されると、制御部５１はこの操作を解釈し、インターフェース５４およびこれに接続されている通信網４を介してこの操作に応じた信号をアクセスポイント装置１に伝える。この信号には上記のサーバ装置２ａの識別情報が含まれている。アクセスポイント装置１の制御部１１は、この識別情報に基づいてサーバ装置２ａに向けてユーザの操作内容を示す指令信号を伝える。サーバ装置２ａは、この指令信号を受けて、これに応じた処理を行う。すなわちこの変形例において、サーバ装置２は、通信網４を介して外部の機器から操作される。
【符号の説明】
【００９０】
１…アクセスポイント装置、１１…制御部、１２…記憶部、１３…通信部、１４…インターフェース、２，２ａ，２ｂ，２ｃ…サーバ装置、２１…制御部、２１１…接続部、２１２…登録部、２１３…管理部、２１４…受信部、２１５…判定部、２１６…蓄積部、２１７…認証部、２１８…送信部、２１９…表示制御部、２２…記憶部、２２１…通信情報、２２２…クライアントデータベース、２２２０…アプリ名リスト、２２２１…クライアント情報、２２３…ログデータベース、２２３０…送受信日時リスト、２２３１…ログデータ、２３…通信部、２４…操作部、２４１…タッチセンサ、２４２…加速度センサ、２５…表示部、２６…収音部、２６１…マイク、２７…放音部、２７１…スピーカ、３，３ａ，３ｂ，３ｃ…クライアント端末、３１…制御部、３１０…生成部、３１１…接続部、３１２…要求部、３１３…管理部、３１４…受信部、３１５…判定部、３１６…蓄積部、３１７…検知部、３１８…送信部、３１９…表示制御部、３２…記憶部、３２１…通信情報、３２２…クライアント情報、３２３…ログデータベース、３２３０…送受信日時リスト、３２３１…ログデータ、３３…通信部、３４…操作部、３４１…タッチセンサ、３４２…加速度センサ、３５…表示部、３６…収音部、３６１…マイク、３７…放音部、３７１…スピーカ、４…通信網、５…外部操作端末、９，９ａ…通信システム
【図１】
2013201705.tif 000003
【図２】
2013201705.tif 000004
【図３】
2013201705.tif 000005
【図４】
2013201705.tif 000006
【図５】
2013201705.tif 000007
【図６】
2013201705.tif 000008
【図７】
2013201705.tif 000009
【図８】
2013201705.tif 000010
【図９】
2013201705.tif 000011
【図１０】
2013201705.tif 000012
【図１１】
2013201705.tif 000013
【図１２】
2013201705.tif 000014
【図１３】
2013201705.tif 000015
【図１４】
2013201705.tif 000016
【図１５】
2013201705.tif 000017
【図１６】
2013201705.tif 000018